(57)【要約】【課題】ガスの使用量と水素の出力量の両方を低コストで把握することが可能な、水素製造装置に用いられる計算装置、計算方法、計算プログラム、及び料金計算システムを提供する。【解決手段】計算装置７１は、計測値取得部７２、算出部７３及び記憶部７４を備えている。計測値取得部７２は、水素製造装置において使用されるガスの使用量及び水素製造装置が出力する水素の出力量の一方の計測値を取得する。記憶部７４には、ガスの使用量と水素の出力量との相関関係を表す相関データ７６が格納されている。算出部７３は、ガスの使用量及び水素の出力量のうちの一方の計測値と相関データ７６に基づいて、他方を算出する。【選択図】図２
2020090414.tif 000002
【特許請求の範囲】
【請求項１】
炭化水素を含むガスを使用して、水蒸気改質反応により水素を製造する水素製造装置に用いられる計算装置において、
前記水素製造装置において使用される前記ガスの使用量、及び前記水素製造装置が出力する水素の出力量の一方を計測する計測機器から、前記ガスの使用量及び前記水素の出力量のうちの一方の計測値を取得する計測値取得部と、
前記ガスの使用量及び前記水素の出力量の相関関係に基づいて、前記計測値取得部によって取得された前記計測値から、前記ガスの使用量及び前記水素の出力量のうちの他方を算出する算出部とを、
備えている水素製造装置に用いられる計算装置。
【請求項２】
前記計測機器は、前記水素の出力量を計測するものであり、
前記計測値取得部は、前記計測機器から前記水素の出力量の計測値を取得し、
前記算出部は、前記相関関係に基づいて、前記水素の出力量の計測値から前記ガスの使用量を算出する請求項１に記載の水素製造装置に用いられる計算装置。
【請求項３】
前記計測機器は、前記ガスの使用量を計測するものであり、
前記計測値取得部は、前記計測機器から前記ガスの使用量の計測値を取得し、
前記算出部は、前記相関関係に基づいて、前記ガスの使用量の計測値から前記水素の出力量を算出する請求項１又は２に記載の水素製造装置に用いられる計算装置。
【請求項４】
炭化水素を含むガスを使用して、水蒸気改質反応により水素を製造する水素製造装置に用いられる計算方法において、
前記水素製造装置において使用される前記ガスの使用量、及び前記水素製造装置が出力する水素の出力量の一方を計測する計測機器から、計測値取得部が、前記ガスの使用量及び前記水素の出力量のうちの一方の計測値を取得する計測値取得ステップと、
前記ガスの使用量及び前記水素の出力量の相関関係に基づいて、前記計測値取得部によって取得された前記計測値から、算出部が、前記ガスの使用量及び前記水素の出力量のうちの他方を算出する算出ステップとを、
備えている水素製造装置に用いられる計算方法。
【請求項５】
炭化水素を含むガスを使用して、水蒸気改質反応により水素を製造する水素製造装置に用いられる計算プログラムにおいて、
前記水素製造装置において使用される前記ガスの使用量、及び前記水素製造装置が出力する水素の出力量の一方を計測する計測機器から、計測値取得部が、前記ガスの使用量及び前記水素の出力量のうちの一方の計測値を取得する計測値取得ステップと、
前記ガスの使用量及び前記水素の出力量の相関関係に基づいて、前記計測値取得部によって取得された前記計測値から、前記ガスの使用量及び前記水素の出力量のうちの他方を算出する算出ステップとを、
コンピュータに実行させる水素製造装置に用いられる計算プログラム。
【請求項６】
請求項１から３のいずれか１項に記載の計算装置を備えている料金計算システム。
【発明の詳細な説明】
【技術分野】
【０００１】
本開示の技術は、水素製造装置に用いられる計算装置、計算方法、計算プログラム、及び料金計算システムに関する。
【背景技術】
【０００２】
炭化水素を含む都市ガス又はＬＰＧ（Liquefied Petroleum Gas）等を原料ガスとして、水素を製造する水素製造装置が開発されている（特許文献１参照）。水素製造装置は、主として改質器と水素精製装置とで構成される。改質器は、約７００〜約８００℃程度の温度環境下において、原料ガスと水蒸気とを反応（水蒸気改質反応）させ、原料ガス中の炭化水素を水素と一酸化炭素とに改質して、水素と一酸化炭素とを含む第１ガスを出力する。そして、この第１ガスと水蒸気とを反応させて、第１ガス中の一酸化炭素の一部を、水素と二酸化炭素とに変成（一酸化炭素変成）して、水素、一酸化炭素、及び二酸化炭素を含む第２ガスを改質ガスとして出力する。バーナは、改質器内を昇温する。
【０００３】
水素精製装置は、改質ガスの中から、水素以外の成分である不純物を除去して、不純物が除去された水素の一部を抽出して、水素を精製する。また、水素精製装置は、改質ガスから水素を抽出した後の不純物を含むガスをオフガスとして出力する。
【０００４】
オフガスは、バーナの燃料となる炭化水素及び水素を含んでいるため、オフガスはバーナの燃料として使用される。バーナの燃料としては、オフガスに加えて補助燃料が使用される場合もある。補助燃料は、例えば原料ガスと同じ都市ガスである。
【先行技術文献】
【特許文献】
【０００５】
【特許文献１】特開２０１６−１２４５７９号公報
【発明の概要】
【発明が解決しようとする課題】
【０００６】
商用で水素をユーザに提供する場合には、ユーザに課金するための水素の料金体系を策定する必要がある。水素の料金体系としては、各種のものが考えられる。例えば、水素製造装置が製造して出力した水素の出力量に応じた従量制の料金体系がある。この場合には、例えば、水素製造装置の水素の出力量を計測し、計測した出力量に水素の単価を乗じた額が、提供する水素の料金となる。
【０００７】
また、水素製造装置において、水素を製造するために使用した都市ガスの使用量に応じた従量制の料金体系も考えられる。上述のとおり、水素製造装置においては、原料及びバーナの補助燃料として都市ガスが使用される。こうした都市ガスの使用量を基準としてユーザに課金を行うことも考えられる。
【０００８】
また、こうした料金体系以外にも、ビジネスモデルの形態によって様々なものが考えられる。料金体系がビジネスモデルの形態によって様々に変化することを考慮すると、各種の料金体系に柔軟に対応できるようにしておくことが好ましい。
【０００９】
いずれの料金体系を採用するにせよ、料金の基礎となるのは、水素製造装置が出力する水素の出力量と、水素製造装置が水素製造の際に使用するガスの使用量である。そのため、こうした水素の出力量とガスの使用量の両方を把握できれば、どのような料金体系にも柔軟に対応することが可能になる。
【００１０】
水素の出力量とガスの使用量の両方を計測するには、単純に考えると、水素製造装置の補器として、水素製造装置が出力する水素の出力量を計測する計測機器と、ガスの使用量を計測する計測機器の両方が必要になる。
【００１１】
しかしながら、水素製造装置の補器として、水素の出力量の計測機器とガスの使用量の計測機器の両方を設けると、コストがかさむといった問題があった。
【００１２】
本開示の技術は、上記課題を鑑みてなされたもので、ガスの使用量と水素の出力量の両方を低コストで把握することが可能な、水素製造装置に用いられる計算装置、計算方法、計算プログラム、及び料金計算システムを提供することを目的とする。
【課題を解決するための手段】
【００１３】
上記目的を達成するために、本開示の水素製造装置に用いられる計算装置は、炭化水素を含むガスを使用して、水蒸気改質反応により水素を製造する水素製造装置に用いられる計算装置において、水素製造装置において使用されるガスの使用量、及び水素製造装置が出力する水素の出力量の一方を計測する計測機器から、ガスの使用量及び水素の出力量のうちの一方の計測値を取得する計測値取得部と、ガスの使用量及び水素の出力量の相関関係に基づいて、計測値取得部によって取得された計測値から、ガスの使用量及び水素の出力量のうちの他方を算出する算出部とを、備えている水素製造装置に用いられる計算装置。
【００１４】
計測機器は、水素の出力量を計測するものであり、計測値取得部は、計測機器から水素の出力量の計測値を取得し、算出部は、相関関係に基づいて、水素の出力量の計測値からガスの使用量を算出する。
【００１５】
計測機器は、ガスの使用量を計測するものであり、計測値取得部は、計測機器からガスの使用量の計測値を取得し、算出部は、相関関係に基づいて、ガスの使用量の計測値から水素の出力量を算出してもよい。
【００１６】
本開示の水素製造装置に用いられる計算方法において、炭化水素を含むガスを使用して、水蒸気改質反応により水素を製造する水素製造装置に用いられる計算方法において、前記水素製造装置において使用される前記ガスの使用量、及び前記水素製造装置が出力する水素の出力量の一方を計測する計測機器から、計測値取得部が、前記ガスの使用量及び前記水素の出力量のうちの一方の計測値を取得する計測値取得ステップと、前記ガスの使用量及び前記水素の出力量の相関関係に基づいて、前記計測値取得部によって取得された前記計測値から、算出部が、前記ガスの使用量及び前記水素の出力量のうちの他方を算出する算出ステップとを、備えている。
【００１７】
本開示の水素製造装置に用いられる計算プログラムは、炭化水素を含むガスを使用して、水蒸気改質反応により水素を製造する水素製造装置に用いられる計算プログラムにおいて、前記水素製造装置において使用される前記ガスの使用量、及び前記水素製造装置が出力する水素の出力量の一方を計測する計測機器から、計測値取得部が、前記ガスの使用量及び前記水素の出力量のうちの一方の計測値を取得する計測値取得ステップと、前記ガスの使用量及び前記水素の出力量の相関関係に基づいて、前記計測値取得部によって取得された前記計測値から、前記ガスの使用量及び前記水素の出力量のうちの他方を算出する算出ステップとを、コンピュータに実行させる。
【００１８】
本開示の料金計算システムは、上記計算装置のいずれかを備えている。
【発明の効果】
【００１９】
本開示の技術によれば、ガスの使用量と水素の出力量の両方を低コストで把握することができる。
【図面の簡単な説明】
【００２０】
【図１】水素製造装置と計算装置の構成を示す図である。
【図２】計算装置の構成を示す図である。
【図３】料金計算の例を示す図である。
【図４】第２実施形態の計算装置を示す図である。
【図５】第２実施形態の変形例を示す図である。
【図６】第２実施形態の別の変形例を示す図である。
【発明を実施するための形態】
【００２１】
［第１実施形態］
図１において、水素製造装置１０は、改質器１１と、ＰＳＡ（Pressure Swing Adsorption）装置１２と、制御部１３とを備える。改質器１１は、改質器１１内を昇温するためのバーナ１７を有している。
【００２２】
バーナ１７には、主燃料となるオフガスと、都市ガス等の補助燃料と、燃焼に必要な空気とが供給される。バーナ１７には、後述するＰＳＡ装置１２から出力されるオフガスをバーナ１７に供給するためのオフガス供給路６１を構成する配管が接続されている。また、バーナ１７には、補助燃料をバーナ１７に供給する補助燃料供給路２６を構成する配管が接続されている。補助燃料供給路２６は、都市ガス等のガス供給源と接続されている。バーナ１７の燃焼によって生じる排ガスは、図示しない排ガスポートから改質器１１の外部に排出される。
【００２３】
改質器１１には、原料ガス供給ポート３１と、水供給ポート３２とが設けられている。
原料ガス供給ポート３１及び水供給ポート３２は、改質ガスの原料となる原料ガスと水とをそれぞれ改質器１１に供給するポートである。水は、改質器１１内において水蒸気改質反応を生じさせるために、原料ガスと混合される水蒸気の元になる改質用水である。改質用水としては純水が使用される。
【００２４】
原料ガス供給ポート３１には、原料ガス供給路３３を構成する配管が接続されている。原料ガス供給路３３は、都市ガス等のガス供給源と接続されている。
【００２５】
水供給ポート３２には、水供給路３９を構成する配管が接続されている。水供給路３９は、水供給源と接続されている。水供給源は、水素製造装置１０内で排出される水を再利用するために貯留する水タンクなどである。
【００２６】
改質器１１は、改質部とＣＯ変成部（一酸化炭素変成部）とを有している。改質部は、例えばニッケル系触媒等の改質触媒層を有する。改質器１１内はバーナ１７によって約７００℃〜約８００℃に昇温される。改質部は、改質触媒層の存在下で、かつ、約７００℃〜約８００℃の温度環境下において、改質触媒層の内部に進入した原料ガスと水蒸気とを反応（水蒸気改質反応）させる。そして、原料ガスを水素と一酸化炭素とに改質して、水素と一酸化炭素とを含む第１ガスを生成して、出力する。
【００２７】
ＣＯ変成部は、例えば鉄−クロム系触媒、銅−亜鉛系触媒、白金系等の変成触媒層を有する。ＣＯ変成部は、変成触媒層の存在下において、改質部が出力する第１ガスと水蒸気とを反応させて、第１ガス中の一酸化炭素の一部を、水素と二酸化炭素に変成する。そして、ＣＯ変成部は、水素、一酸化炭素、及び二酸化炭素を含む第２ガスを改質ガスとして出力する。改質ガスは、出力ポート４７から改質器１１の外部へ出力される。
【００２８】
出力ポート４７は、改質ガスをＰＳＡ装置１２に向けて供給する改質ガス供給路４８を構成する配管に接続されている。改質ガス供給路４８上には、圧縮機５３が配置されている。圧縮機５３は、改質ガスを圧縮して、後段のＰＳＡ装置１２に高圧状態の改質ガスを供給する。
【００２９】
ＰＳＡ装置１２は、改質ガスから水素以外の成分である不純物を除去して、不純物が除去された水素の一部を、製品となる水素（製品水素）として外部に出力する。ＰＳＡ装置１２は、水素を精製する水素精製装置の一例である。ＰＳＡ装置１２は、改質ガスから製品水素を除いた、不純物を主成分として含む残りのガスをオフガスとして出力する。
【００３０】
ＰＳＡ装置１２は、周知のように、吸着剤が充填された吸着塔を有している。吸着塔は、加圧環境下で、改質ガス中の不純物を吸着剤に吸着させる吸着工程と、常圧まで減圧して不純物を吸着剤から脱着する脱着工程とを繰り返す。
【００３１】
吸着剤としては、例えば、ゼオライト系吸着剤、活性炭、シリカゲル等を組み合わせたものが使用される。吸着剤において、改質ガス中の各成分（水素及び不純物）の吸着容量（単位吸着剤量当たりの吸着量）は、吸着塔内の圧力が大きいほど差が大きくなる。ＰＳＡ装置１２は、加圧環境下において、水素と不純物の吸着容量の差が大きくなることを利用して、水素よりも吸着されやすい不純物を優先的に吸着剤に吸着させることで、改質ガスから水素を分離して回収する。
【００３２】
吸着工程では、吸着塔に加圧状態の改質ガスが供給されて、吸着剤によって不純物が分離されて、吸着塔から純度の高い製品水素が出力される。一方、脱着工程では、吸着塔内が減圧されて、吸着剤に吸着された不純物がオフガス供給路６１に向けて送出される。
【００３３】
流量計６２は、水素（製品水素）の出力量を計測する。流量計６２は、例えば、マスフローメータで構成される。流量計６２は、水素製造装置１０が出力する水素の出力量を計測する計測機器の一例である。流量計６２は、制御部１３と電気信号の送受信が可能なように配線で接続されており、制御部１３に対して、水素の出力量を送信する。
【００３４】
オフガス供給路６１は、ＰＳＡ装置１２から出力されるオフガスをバーナ１７に供給する供給路である。オフガスには、改質ガス中の燃焼成分である炭化水素及び水素が含まれており、バーナ１７の燃料として利用される。
【００３５】
制御部１３は、水素製造装置１０の全体を統括的に制御する。制御部１３は、例えばマイクロコンピュータなどで構成される。また、制御部１３には、計算装置７１が設けられている。
【００３６】
図２に示すように、計算装置７１は、水素製造装置１０において使用されるガスの使用量、及び水素製造装置１０が出力する水素の出力量の一方から他方を計算する装置である。計算装置７１は、計測値取得部７２、算出部７３、及び記憶部７４を有している。計測値取得部７２及び算出部７３は、例えば、ＣＰＵ（Central Processing Unit）７７が計算プログラムを実行することにより実現される。なお、ＣＰＵ７７の代わりに、ＡＳＩＣ（Application Specific Integrated Circuit）などで実現してもよい。記憶部７４としては、ＲＯＭ（Read Only Memory）、フラッシュメモリなどの不揮発性メモリ、ＨＤＤ（Hard Disk Drive）又はＳＳＤ（Solid State Drive）などのデータストレージデバイスで構成される。
【００３７】
計測値取得部７２は、ガスの使用量を計測する計測機器及び水素の出力量を計測する計測機器の少なくとも一方から、ガスの使用量及び水素の出力量のうちの少なくとも一方の計測値を取得する。
【００３８】
水素製造装置１０において使用されるガスとは、原料ガス及び補助燃料として使用されるガス供給源から供給される都市ガス等であり、水素製造装置１０が水素を製造するために必要なガスである。水素製造装置１０において、ガスの使用量と水素の出力量とは、ほぼ比例しており、両者の間には相関関係が認められる。記憶部７４には、こうした相関関係を表す相関データ７６が格納されている。相関データ７６は、関数の形式でもよいし、テーブルデータの形式でもよい。
【００３９】
算出部７３は、相関データ７６に基づいて、ガスの使用量及び水素の出力量のうちの一方の計測値から他方を算出する。
【００４０】
図１に示す例は、計測値取得部７２の第１実施形態における具体例である。すなわち、第１実施形態においては、計測値取得部７２は、水素の出力量を計測する計測機器の一例である流量計６２から、水素の出力量の計測値を取得する。そして、算出部７３は、取得した水素の出力量の計測値から、ガスの使用量を算出する。
【００４１】
水素製造装置１０は、料金計算装置８１と無線通信又は有線通信で通信可能に接続されている。計算装置７１は、水素の出力量とガスの使用量の両方を、料金計算装置８１に送信する。料金計算装置８１は、水素の出力量とガスの使用量に基づいて、水素製造装置１０の利用料金を計算する。
【００４２】
料金計算装置８１は、例えば、ＣＰＵ及びメモリを有し、料金計算プログラムがインストールされたパーソナルコンピュータ及びワークステーションなどで構成される。計算装置７１と料金計算装置８１とで料金計算システムが構成される。
【００４３】
以下、上記構成による作用について説明する。水素製造装置１０において、改質器１１には、原料ガス及び補助燃料として都市ガス等が供給される。そして、水蒸気改質反応により、水素を含む改質ガスが生成されて、ＰＳＡ装置１２に出力される。ＰＳＡ装置１２は、改質ガスに含まれる不純物を吸着して、不純物が除かれた純度の高い水素を製品水素として外部に出力する。外部に出力される水素の出力量は、流量計６２で計測されて、その計測値が制御部１３に送信される。
【００４４】
制御部１３の計算装置７１において、計測値取得部７２が水素の出力量の計測値を取得する。算出部７３は、水素の出力量の計測値と相関データ７６とに基づいて、ガスの使用量を算出する。
【００４５】
このように、水素製造装置１０に用いられる計算装置７１によれば、水素の出力量の計測値しか取得できない場合でも、水素の出力量とガスの使用量の両方を把握することができる。そのため、計算装置７１によれば、水素製造装置１０に水素の出力量の計測機器しかない場合でも、水素の出力量とガスの使用量の両方を把握することができるため、コストも安い。
【００４６】
制御部１３は、水素の出力量と、計算装置７１が算出したガスの使用量との両方を料金計算装置８１に送信する。料金計算装置８１は、水素の出力量とガスの使用量とに基づいて、ユーザに対して請求する水素製造装置１０の利用料金を適切に計算することができる。
【００４７】
水素製造装置１０を使用して、商用で水素をユーザに提供する場合において、ユーザに課金するための水素の料金体系として、例えば、水素の出力量に応じた従量制の料金体系が考えられる。
【００４８】
例えば、図３に示すように、水素製造装置１０が、ユーザに貸与されて、ユーザの事業所９１で使用される場合を考える。この場合の従量制の料金体系として、例えば、ユーザが水素製造装置１０を稼働させて製造した水素の出力量に水素の単価を乗じた額をユーザから徴収する従量制の料金体系が考えられる。
【００４９】
このような従量制の料金体系において、契約内容によっては、水素の単価に、水素製造装置１０を稼働させるために必要なガス料金（原料ガス及び補助燃料として使用されるガスの使用量にガスの単価を乗じた額）をコストとして含めて設定される場合がある。その場合において、水素製造装置１０の利用料金とは別に、ガスメータなどで計測されるガス料金をユーザに請求してしまうと、ガス料金について二重取りが生じるおそれがある。
【００５０】
例えば、図３の例において、ユーザが事業所９１内で水素製造装置１０を稼働させて、水素を製造すると、製造した水素の出力量が流量計６２によって計測される。この計測値に水素の単価を乗じた金額が、水素製造装置１０の利用料金のベースとなる。水素の単価にガス料金が含まれている場合において、ベースとなる金額とは別にガス料金が請求されてしまう場合、ガス料金の二重取りのおそれがある。
【００５１】
このようなガス料金の二重取りを防止して、水素製造装置１０の利用料金として適切な利用料金を求めるには、図３に示すように、水素の出力量に水素の単価を乗じた額から、ガス料金を控除する必要がある。
【００５２】
料金計算装置８１は、水素の出力量とガスの使用量の両方を把握しているため、これらに基づいて、水素製造装置１０の適切な利用料金を計算することができる。
【００５３】
この他、水素の料金体系については、水素製造装置１０がユーザに提供された形態で稼働されるのか、あるいは、水素を販売するサービス提供者が水素製造装置１０を保有した形態で水素製造装置１０が稼働されるのかによっても、各種のものが考えられる。また、ユーザ毎の契約内容によっても料金体系は変わる可能性がある。ガスの使用量と水素の出力量の両方を把握できれば、どのような料金体系でも柔軟に対応することが可能となる。本発明は、このような場合に有効である。
【００５４】
［第２実施形態］
図４に示す第２実施形態に係る水素製造装置１０は、第１実施形態において示した図１の例とは反対に、ガスの使用量の計測値から水素の出力量を算出する形態である。第２実施形態に係る水素製造装置１０は、ガスの使用量を計測する計測機器の一例として、ガスメータ８６を使用する。ガスメータ８６は、ガス会社がガス料金を計算するために設置する計測機器である。計算装置７１は、ガスメータ８６から、水素製造装置１０が使用するガスの使用量の計測値を取得する。
【００５５】
図４に示すように、水素製造装置１０に水素の出力量を計測する流量計６２が設けられている場合でも、計算装置７１が流量計６２の計測値を利用できない、あるいは利用しにくい場合もある。例えば、利用しにくい場合としては、流量計６２を計算装置７１に送信するために、水素製造装置１０の改造が必要になる場合などが考えられる。このような場合でも、計算装置７１によれば、ガスの使用量の計測値に基づいて水素の出力量を算出できるため、便利である。
【００５６】
（変形例１）
なお、ガスメータ８６がある場合でも、図５に示すように、ガスメータ８６が、水素製造装置１０以外の他のガス使用機器１０１と共用されているような場合は、ガスメータ８６が計測するガスの使用量には、他のガス使用機器１０１のガスの使用量が含まれてしまう。この場合は、ガスメータ８６の計測値を、水素製造装置１０の利用料金の計算の基礎に使用することはできない。
【００５７】
そのため、図５に示す例では、第１実施形態と同様に、計算装置７１は、流量計６２などの計測機器を使用して、水素の出力量の計測値を取得し、取得した計測値からガスの使用量を算出する。
【００５８】
（変形例２）
また、水素製造装置１０においては、図６に示す第３実施形態に示すように、補助燃料供給路２６及び原料ガス供給路３３上に、それぞれ流量計８８及び流量計８９が配置されている場合が多い。これら各流量計８８、８９は、例えば、補助燃料及び原料ガスの供給量を制御するために設けられる。こうした流量計８８、８９を、ガスの使用量の計測機器として使用してもよい。計算装置７１は、各流量計８８、８９からガスの使用量の計測値を取得して、取得した計測値に基づいて、水素の出力量を算出する。
【００５９】
なお、上記各実施形態では、バーナ１７に供給する燃料としてオフガスの他に補助燃料を使用する例で説明したが、バーナ１７が消費する燃料がオフガスのみで賄えるのであれば、補助燃料は使用しなくてもよい。
【００６０】
また、上記実施形態は、本発明の一例であり、本発明の趣旨を逸脱しない範囲において種々の変形が可能である。例えば、上記各実施形態では、計算装置７１を、水素製造装置１０に設けた例で説明したが、計算装置７１は、水素製造装置１０と別に設けられていてもよい。また、１つの計算装置７１で、複数の水素製造装置１０のガスの使用量及び水素の出力量の計算をしてもよい。また、料金計算装置８１についても、複数の計算装置７１と通信可能に接続し、１つの料金計算装置８１を複数の計算装置７１で共用してもよい。この場合には、複数の計算装置７１と１つの料金計算装置８１とで料金計算システムが構成される。さらに、計算装置７１に加えて料金計算装置８１を水素製造装置１０に内蔵してもよい。
【００６１】
また、水素精製装置として、ＰＳＡ装置１２を例に説明したが、膜分離方式の水素精製装置を使用してもよい。
【符号の説明】
【００６２】
１０    水素製造装置
１１    改質器
１２    ＰＳＡ装置
１３    制御部
１７    バーナ
２６    補助燃料供給路
３１    原料ガス供給ポート
３２    水供給ポート
３３    原料ガス供給路
４７    出力ポート
４８    改質ガス供給路
５３    圧縮機
６１    オフガス供給路
６２、８８、８９    流量計
７１    計算装置
７２    計測値取得部
７３    算出部
７４    記憶部
７６    相関データ
７７    ＣＰＵ
８１    料金計算装置
９１    事業所
【図１】
2020090414.tif 000003
【図２】
2020090414.tif 000004
【図３】
2020090414.tif 000005
【図４】
2020090414.tif 000006
【図５】
2020090414.tif 000007
【図６】
2020090414.tif 000008
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
炭化水素を含むガスを使用して、水蒸気改質反応により水素を製造する水素製造装置に用いられる料金計算システムにおいて、
前記水素製造装置において使用される前記ガスの使用量、及び前記水素製造装置が出力する水素の出力量の一方を計測する計測機器から、前記ガスの使用量及び前記水素の出力量のうちの一方の計測値を取得する計測値取得部と、
前記ガスの使用量及び前記水素の出力量の相関関係に基づいて、前記計測値取得部によって取得された前記計測値から、前記ガスの使用量及び前記水素の出力量のうちの他方を算出する算出部とを、
備えている水素製造装置に用いられる計算装置と、
前記計算装置と通信可能に接続され、前記計算装置から送信される、前記水素の出力量と前記ガスの使用量に基づいて、水素製造装置の利用料金を計算する料金計算装置とを備えている、水素製造装置に用いられる料金計算システム。
【請求項２】
前記計算装置において、前記計測機器は、前記水素の出力量を計測するものであり、
前記計測値取得部は、前記計測機器から前記水素の出力量の計測値を取得し、
前記算出部は、前記相関関係に基づいて、前記水素の出力量の計測値から前記ガスの使用量を算出する請求項１に記載の水素製造装置に用いられる料金計算システム。
【請求項３】
前記計算装置において、前記計測機器は、前記ガスの使用量を計測するものであり、
前記計測値取得部は、前記計測機器から前記ガスの使用量の計測値を取得し、
前記算出部は、前記相関関係に基づいて、前記ガスの使用量の計測値から前記水素の出力量を算出する請求項１又は２に記載の水素製造装置に用いられる料金計算システム。
【請求項４】
炭化水素を含むガスを使用して、水蒸気改質反応により水素を製造する水素製造装置に用いられる料金計算方法において、
前記水素製造装置において使用される前記ガスの使用量、及び前記水素製造装置が出力する水素の出力量の一方を計測する計測機器から、計測値取得部が、前記ガスの使用量及び前記水素の出力量のうちの一方の計測値を取得する計測値取得ステップと、
前記ガスの使用量及び前記水素の出力量の相関関係に基づいて、前記計測値取得部によって取得された前記計測値から、算出部が、前記ガスの使用量及び前記水素の出力量のうちの他方を算出する算出ステップとを、
前記水素の出力量と前記ガスの使用量に基づいて、水素製造装置の利用料金を計算する計算ステップとを
備えている水素製造装置に用いられる料金計算方法。
【請求項５】
炭化水素を含むガスを使用して、水蒸気改質反応により水素を製造する水素製造装置に用いられる料金計算プログラムにおいて、
前記水素製造装置において使用される前記ガスの使用量、及び前記水素製造装置が出力する水素の出力量の一方を計測する計測機器から、計測値取得部が、前記ガスの使用量及び前記水素の出力量のうちの一方の計測値を取得する計測値取得ステップと、
前記ガスの使用量及び前記水素の出力量の相関関係に基づいて、前記計測値取得部によって取得された前記計測値から、前記ガスの使用量及び前記水素の出力量のうちの他方を算出する算出ステップと、
前記水素の出力量と前記ガスの使用量に基づいて、水素製造装置の利用料金を計算する計算ステップとを、
コンピュータに実行させる水素製造装置に用いられる料金計算プログラム。
【手続補正３】
【補正対象書類名】明細書
【補正対象項目名】０００１
【補正方法】変更
【補正の内容】
【０００１】
本開示の技術は、水素製造装置に用いられる料金計算システム、料金計算方法、及び料金計算プログラムに関する。